【事件の表示】
　平成　２年特許願第１７１６２号「ピアノハンドル式スイッチ」拒絶査定に対する審判事件［平成３年１０月１日出願公開、特開平３−２２２２１８］について、次のとおり審決する。
【結　論】
　本件審判の請求は、成り立たない。
【理　由】
１．本願発明
　本願は、平成2年1月26日の出願であって、その発明は、明細書及び図面の記載からみて、特許請求の範囲の請求項１ないし請求項４に記載されたとおりのものと認められ、その請求項１に記載された発明（以下「本願発明」という。）は以下のとおりである。
「中間部に細長で長手方向に３個の器具取付手段を有する器具取付用の窓孔を備えた取付枠と、短方向の外形寸法が前記窓孔の長手方向の略１／３に形成されるとともに、前面に操作部及び前記窓孔の長手方向における前面略中央部に表示素子を有し、前記取付枠の器具取付手段に取り付けられるスイッチ本体と、取付枠の短方向の幅寸法に対して同方向の幅寸法が略同じ窓部を有し、前記窓孔に対向するように前記取付枠の前方に配置される枠状のプレートと、前記表示素子に光学的に対向する表示窓を有し、前記プレートの窓部内に配置され前記スイッチ本体に対設される、前記スイッチ本体のハンドル対向面より大きな、操作ハンドルとを具備したことを特徴とするスイッチ。」
２．引用例記載の発明
　これに対して、原査定の拒絶理由に引用された特開平1-197924号公報（以下「引用例１」という。）には、「スイッチ装置」に関して以下のことが記載されている。
a)「操作面の大きい操作体を用いるスイッチ装置において、スイッチ本体を１個〜３個取付けて用いることができるとともに２個および３個取付けて用いるものであってもスイッチ本体を共用でき、かつ、表示素子を設けた３個のスイッチ本体を連設したものにおいて、それぞれに対応する操作体の中央部において表示が適確に行なえるようにしたスイッチ装置を提供することを目的とする。」（第2頁右上欄第14行〜同頁左下欄第１行）
b)「1は取付枠で、この取付枠1はたとえば合成樹脂で形成され、中間部に細長の器具取付孔2を備え、両端部に造営物などの壁面3に埋設された配線ボックス4の取付部5、5に取付け得るピッチをもった対をなす取付孔6、6を設けているとともにプレート取付用孔7、7を設けている。そして、この取付枠1は器具取付孔2の一側に器具の一側部に突設した突片が係合する係合孔8および器具の他方に突設した突片が弾性的に係合する係止片9を備えて形成した３組の器具固着手段10を設けている。この取付枠1は一般にワンタッチサポートと称されるものを可とするが、金属で形成されるものであってもよい。」（第3頁左下欄第7〜19行）
c)「本実施例のスイッチ本体11の詳細を第11図について説明する。スイッチ本体11は合成樹脂で箱状に形成されたケース13、このケース13内に設けた固定接点14を有した端子部15、固定接点14に接離する可動接点16を有する可動片17、この可動片17にスプリング18を介して設けられた板ばね19を存して操作部12を形成した揺動自在のハンドル部20、可動接点16、端子部15に設けられた鎖錠片21、この鎖錠片21に接続する電線の係合を解除する解除釦22、表示素子としてのネオンランプ23および発光ダイオード24を接続したプリント基板25、電流トランス26、操作部12に対向する一対の孔27、27を有するとともに前面中央部に表示素子としてのネオンランプ23および発光ダイオード24が臨む孔28、28を有しケース13に装着するカバー29および取付枠1の係合孔9および係止孔9に係合する突片30、30を有しケース13およびカバー29を固着する取付金具31を含んで形成されている。
　そして、カバー29は短方向の略中央部に山形状の軸部32を設け、この軸部32の両傾斜面に孔28、28を設けている。本実施例におけるスイッチ本体11はオン、オフのいずれの状態でも表示素子が点灯し、表示素子のネオンランプ23および発光ダイオード24の光色の異いによって表示するように形成されている。
　33はプレートで、このプレート33は取付枠1の器具取付孔2に対向する細長の窓孔34を有し取付枠1のプレート取付用孔7、7に嵌合する突部（図示しない。）を設け、取付枠1に取付けられる。このプレート33は本実施例においては開口35を有し、この開口35の周辺部に凹部36を形成した基体部37、この基体部37の凹部36に着脱可能に嵌合する化粧枠部38を含んで形成されている。そして、本実施例において窓孔34はこの化粧枠部38に形成したものを示している。そして、このプレート33の窓孔34は長手方向の寸法Ａをスイッチ本体11の短寸法Ｂの略４倍で形成している。
　39は操作体で、この操作体39はスイッチ本体11の操作部12に装着され、かつプレート33の窓孔34に臨んで窓孔34を塞ぐよう形成されている。
　そして、操作体39は第７図および第８図に示すように、スイッチ本体11を１個取付枠1に取付けて１個用として用いる場合は、プレート33の窓孔34を塞ぐ細長板状に形成された１個用のものをスイッチ本体11の操作部12に装着して用いる。」（第3頁右下欄第4行〜第4頁右上欄第8行）
　また、同じく引用された特開昭61-173428号公報（以下「引用例２」という。）には、「スイッチ装置」に関して以下のことが記載されている。
a)「この発明は、プレート面とスイッチとの外観上の関係が調和しているとともに、接点の開閉動作が確実に行われるスイッチ装置を提供することを目的とする。」（第2頁右上欄第8〜11行）
b)「この発明にかかるスイッチ装置は、第１図および第２図にみるように、接点機構を内蔵するボディ1と、ボディ1外方から前記接点機構を操作する部分である広面積のハンドル2と、ハンドル2の表面を露出させる開口3aを有するプレート3と、これを受けるプレート枠4と、前記プレート3およびプレート枠4の両者間に介在され、内部に形成された開口部5aに前記ボディ1を受け入れた状態で壁面（図示せず）に取り付けられるようになっている取付枠5とをそれぞれ備えている。第２図および第３図にみるように、ボディ1表面には、ボディ1から出没する方向に往復移動し、ボディ1内の可動接触部15に固定接点14,16の開閉動作を行わせるよう働く移動体（押ボタン）8が露出している。前記ハンドル2は、第２図および第５図にみるように、その一端側で前記移動体8を覆うとともに、他端側をボディ1に軸着させて、ピアノタッチ式になっている。その操作時には、前記一端側が押し込まれると、移動体8が押圧される。移動体8は、前記押圧を解除した際にハンドル2とプレート3の表面とがほぼ面一になるようスプリング6により押圧解除方向に常に付勢されている。それにより、プレート面とハンドル（スイッチ）との外観上の関係が調和するようになる。」（第2頁左下欄第15行〜同頁右下欄第19行）
c)「ボディ表面には、ボディから出没する方向に往復移動し、ボディ内の可動接触部に接点の開閉動作を行わせるよう働く移動体が露出しており、ハンドルがその一端側で前記移動体を覆うとともに、他端側をボディに軸着させていて、操作時には前記一端側が押し込まれると移動体が押圧されるが、移動体は前記押圧を解除した際にハンドルとプレート面がほぼ面一になるよう押圧解除方向に常に付勢されていることを特徴としているので、プレート面とハンドル（スイッチ）との外観上の関係が調和するようになるとともに、接点の開閉動作が確実に行われるようになるという効果がもたらされるのである。」（第4頁右上欄第18行〜同左下欄第11行）
３．対比
　本願発明と引用例１に記載された発明とを対比する。
　引用例１に記載の、「係合孔8」、「器具取付孔2」、「取付枠1」、「表示素子23、24」、「スイッチ本体11」、「開口35」、「プレート33」、「表示窓44」、「操作体39」は、それぞれ、本件発明における「窓孔の長手方向に３個設けられた器具取付手段」、「器具取付用の窓孔」、「中間部に細長の窓孔を備えた取付枠」、「表示素子」、「スイッチ本体」、「窓部」、「プレート」、「表示窓」、「プレートの窓部内に配設されスイッチ本体に対設される操作ハンドル」にそれぞれ相当する。
　そして、引用例１に記載のスイッチ本体11は、短方向の外形寸法が取付孔2の長手方向の略１／３に形成されるものである。
　また、引用例１に記載のプレート33に設けられた開口35は、取付枠1の短方向の幅寸法に対して同方向の幅寸法が略同じであると認められる。
　そうすると、両者は、「中間部に細長で長手方向に３個の器具取付手段を有する器具取付用の窓孔を備えた取付枠と、短方向の外形寸法が前記窓孔の長手方向の略１／３に形成されるとともに、前面に前記窓孔の長手方向における前面略中央部に表示素子を有し、前記取付枠の器具取付手段に取り付けられるスイッチ本体と、取付枠の短方向の幅寸法に対して同方向の幅寸法が略同じ窓部を有し、前記窓孔に対向するように前記取付枠の前方に配置される枠状のプレートと、前記表示素子に光学的に対向する表示窓を有し、前記プレートの窓部内に配置され前記スイッチ本体に対設される、前記スイッチ本体のハンドル対向面より大きな、操作ハンドルとを具備したことを特徴とするスイッチ。」である点で一致するものであり、一方、以下の点で相違するものと認める。
（相違点）
　本願発明のスイッチ本体が、前面に操作部を具備し、その操作部をプレートに設けた操作ハンドルで操作するのに対して、引用例１に記載の発明はスイッチ本体を直接プレートに設けた操作ハンドルで操作する点。
４．当審の判断
　そこで上記相違点について検討する。
  スイッチ本体（ボディ1）の前面に操作部（移動体8）を設け、その操作部をプレート（プレート3）に設けた操作ハンドル（ハンドル2）で操作することは、引用例２に記載されている。
　そして、引用例１及び引用例２は、共にスイッチ装置に関する発明であり、引用例１に記載のスイッチ装置に、操作性向上のために、引用例２に記載の発明を適用することに、格別の困難性は認められない。
  さらに、本願発明の奏する効果は、引用例１に記載の発明の奏する部品の共通化及びハンドルの面積が大きくなることによる操作性の向上なる効果、及び引用例２に記載の発明の奏するピアノタッチの操作による操作性の向上なる効果を単に組合わせた効果に過ぎない。
　したがって、本願発明は、引用例１及び引用例２に記載された発明に基づいて当業者が容易に成し得たものというべきである。
５．むすび
　以上のとおりであるから、本願発明は、特許法第２９条第２項の規定により特許を受けることはできない。
　よって、結論のとおり審決する。